(57)【特許請求の範囲】
【請求項１】
被検者眼の眼底に測定指標を投影し、眼底からの反射光を受光して被検者眼の屈折力を他覚的に測定する屈折力測定光学系と、被検者眼に視標を呈示する視標呈示光学系と、を備える眼屈折力測定装置において、
前記屈折力測定光学系の光路外であって前記視標呈示光学系の光路にて被検者眼の瞳孔と略共役な位置に配置された開口径可変の絞りを持ち、同一被検者眼における明所視と暗所視での前記視標の見え方の違いを確認するために前記絞りの開口径を明所視での被検者眼の瞳孔径に相当する第１サイズと暗所視での被検者眼の瞳孔径以上の第２サイズとに切換える絞り切換手段を設けたことを特徴とする眼屈折力測定装置。
【請求項２】
請求項１の眼屈折力測定装置において、前記絞り切換手段により前記絞りの開口径が切換えられたときに、被検者眼の瞳孔から眼内に入射する視標光束の光量が略一定となるように、前記絞りの開口径のサイズに応じて前記視標呈示光学系により呈示される視標光束の光量を調整する光量調整手段を備えることを特徴とする眼屈折力測定装置。
【発明の詳細な説明】
【技術分野】
【０００１】
本発明は、被検者眼の眼屈折力を測定する眼屈折力測定装置に関する。
【背景技術】
【０００２】
眼鏡等の屈折矯正具の処方に際して、その矯正度数の目安を簡単に得るために、被検者眼の眼底に測定視標を投影し、眼底からの反射光を受光素子で検出し、その検出結果に基づいて被検者眼の眼屈折力を測定する眼屈折力測定装置が使用される（引用文献１参照）。また、眼屈折力測定装置の視標呈示光学系に、被検者眼の球面屈折誤差、乱視屈折誤差を矯正する光学系が設けられたものもある。
【特許文献１】特開２００７‐８９７１５号公報
【特許文献２】特開２００６−２８０６１３号公報
【発明の開示】
【発明が解決しようとする課題】
【０００３】
ところで、眼の視力は周囲の明るさの違いによって変わる場合がある。これは、眼の瞳孔径が周囲の明るさに応じて変化し、光学的な絞り効果によって被写界深度が変わるため、あるいは、瞳孔径が変化すると、角膜及び水晶体の非球面性によって収差の影響度合いも変わるためと考えられている。そのため、夕暮れ時や夜間（暗所視）では瞳孔径が大きくなるために視力が変わってしまい、昼間の明るい状態（明所視）を想定して処方された眼鏡等の屈折矯正具では十分な視力が得られない場合がある。
【０００４】
夕暮れ時（暗所視）における視力と昼間（明所視）における視力との違いを検査する方法として、眼屈折力測定装置と別の視標呈示装置を使用し、周囲の明るさを実際に変化させながら視力検査を行う方法が考えられる。しかし、周囲の明るさに応じて眼の瞳孔径が変化するまでの順応を待つ必要があるため、検査に時間が掛かってしまう問題、即座に両者の見え方を比較できない問題がある。また、周囲の明るさを暗所視から明所視へ切換えた場合、被検者は眩しく感じてしまう。
【０００５】
本発明は、上記問題点に鑑み、暗所視状態と明所視状態との見え方の違いを簡単に確認でき、被検者には明所視状態での矯正度数に対して、暗所視状態での矯正度数を変える必要性を認識させることが可能な眼屈折力測定装置を提供することを技術課題とする。
【課題を解決するための手段】
【０００６】
上記課題を解決するために、本発明は以下のような構成を備えることを特徴とする。
【０００７】
（１）  被検者眼の眼底に測定指標を投影し、眼底からの反射光を受光して被検者眼の屈折力を他覚的に測定する屈折力測定光学系と、被検者眼に視標を呈示する視標呈示光学系と、を備える眼屈折力測定装置において、
前記屈折力測定光学系の光路外であって前記視標呈示光学系の光路にて被検者眼の瞳孔と略共役な位置に配置された開口径可変の絞りを持ち、同一被検者眼における明所視と暗所視での前記視標の見え方の違いを確認するために前記絞りの開口径を明所視での被検者眼の瞳孔径に相当する第１サイズと暗所視での被検者眼の瞳孔径以上の第２サイズとに切換える絞り切換手段を設けたことを特徴とする。
（２）  請求項１の眼屈折力測定装置において、前記絞り切換手段により前記絞りの開口径が切換えられたときに、被検者眼の瞳孔から眼内に入射する視標光束の光量が略一定となるように、前記絞りの開口径のサイズに応じて前記視標呈示光学系により呈示される視標光束の光量を調整する光量調整手段を備えることを特徴とする。
【発明の効果】
【０００８】
本発明によれば、暗所視状態と明所視状態との見え方の違いを簡単に確認でき、被検者には明所視状態での矯正度数に対して、暗所視状態での矯正度数を変える必要性を認識させることができる。
【発明を実施するための最良の形態】
【０００９】
以下、本発明の実施形態を図面に基づいて説明する。図１は本実施形態に係る眼屈折力測定装置の外観構成図である。測定装置は、基台１と、基台１に取り付けられた顔支持ユニット２と、基台１上に移動可能に設けられた移動台３と、移動台３に移動可能に設けられ、後述する光学系を収納する測定部４を備える。測定部４は、移動台３に設けられたＸＹＺ駆動部６により、被検者眼Ｅに対して左右方向（Ｘ方向）、上下方向（Ｙ方向）及び前後方向（Ｚ方向）に移動される。移動台３は、ジョイスティック５の操作により、基台１上をＸ方向及びＺ方向に移動される。また、検者が回転ノブ５ａを回転操作することにより、測定部４はＸＹＺ駆動部６のＹ駆動によりＹ方向に移動される。ジョイスティック５の頂部には、測定開始スイッチ５ｂが設けられている。移動台３には、表示モニタ７が設けられている。
【００１０】
図２は、装置の光学系及び制御系の概略構成図である。測定光学系１０は、被検者眼Ｅの瞳孔中心部を介して眼底Ｅｆにスポット状の測定指標を投影する投影光学系１０ａと、眼底Ｅｆから反射された眼底反射光を瞳孔周辺部を介してリング状に取り出し、二次元撮像素子にリング状の眼底反射像を撮像させる受光光学系１０ｂと、から構成される。
【００１１】
投影光学系１０ａは、測定光学系１０の光軸Ｌ１上に配置された，測定光源１１，リレーレンズ１２，ホールミラー１３，及び測定用対物レンズ１４を含む。測定光源１１は、正視眼の眼底Ｅｆと光学的に共役な位置関係となっている。また、ホールミラー１３の開口は、被検者眼Ｅの瞳孔と光学的に共役な位置関係となっている。
【００１２】
受光光学系１０ｂは、投影光学系１０ａの対物レンズ１４、ホールミラー１３が共用され、ホールミラー１３の反射方向の光軸Ｌ１上に配置されたリレーレンズ１６及び全反射ミラー１７と、全反射ミラー１７の反射方向の光軸上に配置された受光絞り１８、コリメータレンズ１９、リングレンズ２０、及び二次元撮像素子２２を含む。受光絞り１８及び撮像素子２２は、眼底Ｅｆと光学的に共役な位置関係となっている。リングレンズ２０は、透明平板状に円筒レンズがリング状に形成されたレンズ部と、リング状のレンズ部分以外が遮光された遮光部と、から構成され、被検者眼Ｅの瞳孔と光学的に共役な位置関係となっている。撮像素子２２からの出力は制御部７０に入力される。また、投影光学系１０ａの測定光源１１，リレーレンズ１２と、受光光学系１０ｂのコリメータレンズ１９、リングレンズ２０、及び二次元撮像素子２２とは、移動機構２３により一体的に光軸方向に移動される。なお、測定光学系１０は上記のものに限らず、種々の周知のものが使用できる。
【００１３】
対物レンズ１４と被検者眼Ｅとの間には、視標呈示光学系３０からの視標光束を被検者眼Ｅに導き、被検者眼Ｅの前眼部からの反射光を観察光学系５０に導くダイクロイックミラー２９が配置されている。ダイクロイックミラー２９は、測定光学系１０に用いられる測定光束の波長を透過する。
【００１４】
観察光学系５０は、ハーフミラー３８の反射方向の光軸上に配置された撮像レンズ５１及び二次元撮像素子５２を備える。撮像素子５２からの出力は、制御部７０に入力される。これにより、被検者眼Ｅの前眼部像は二次元撮像素子５２により撮像され、モニタ７上に表示される。
【００１５】
視標呈示光学系３０は、観察光学系５０の対物レンズ３９が共用され、ダイクロイックミラー２９により光軸Ｌ１と同軸にされた光軸Ｌ２上に配置されたＬＥＤ等の光源３１，視標板３２，リレーレンズ３３，開口径可変絞り３６、全反射ミラー３７を含む。また、視標呈示光学系３０は被検者眼の屈折力を矯正するための屈折力矯正光学系と共用され、絞り３６とリレーレンズ３３との間には乱視矯正光学系３４が配置されている。
【００１６】
視標板３２には、他覚測定時に被検者眼Ｅに雲霧を行うための固視標と、自覚測定時に使用される視力検査用視標を含む複数の視標３２ａが同心円上に配置されている。視力検査視標は、視力値毎の視標（視力値０．１、０．３、・・・、１．５）が用意されている。視標板３２はモータ３７によって回転され、視標３２ａが視標呈示光学系３０の光軸Ｌ２上に切換え配置される。光源３１によって照明された視標３２ａの視標光束は、リレーレンズ３３からダイクロイックミラー２９までの光学部材を介して被検者眼Ｅに向かう。
【００１７】
光源３１及び視標板３２（視標３２ａ）は、モータ及びスライド機構からなる駆動機構３８により光軸Ｌ２の方向に一体的に移動される。光源３１及び視標３２ａが移動されることにより、他覚測定時には被験者眼Ｅに雲霧が掛けられ、また、自覚測定時には被検者眼に対する視標の呈示位置（呈示距離）が光学的に変えられることにより、被検者眼の球面屈折力が矯正される。すなわち、対物レンズ３９、リレーレンズ３３、光源３１及び視標３２ａの移動により、球面度数の矯正光学系が構成される。
【００１８】
乱視矯正光学系３４は、焦点距離の等しい、２枚の正の円柱レンズ３４ａ，３４ｂから構成される。円柱レンズ３４ａ，３４ｂは、それぞれ回転機構３５ａ、３５ｂの駆動により、光軸Ｌ２を中心に各々独立して回転される。なお、自覚測定のための矯正光学系としては、乱視矯正光学系３４を設けることが好ましいが、後述する明所視と暗所視での見え方を比較する上では、簡易的には球面度数の矯正光学系のみでも使用可能である。球面度数の矯正光学系の場合、球面屈折力誤差に乱視屈折誤差の半分を加えた等価球面値として矯正することが好ましい。また、矯正光学系は、矯正レンズを視標呈示光学系の光路に出し入れする構成でも良い。球面度数の矯正光学系は、光軸方向に移動可能なリレーレンズを視標呈示光学系に追加する構成でも可能である。
【００１９】
開口径可変絞り３６は対物レンズ３９に関して被検者眼Ｅの瞳孔と略共役な位置に配置されている。ここでは、開口径可変絞り３６として、液晶ディスプレイが使用される。液晶ディスプレイの表示は制御部７０により制御され、図３に示されるように、光軸Ｌ２を中心にした円形の光透過領域Ｄ（開口径）のサイズが変えられる。光透過領域Ｄの外側は遮光領域である。光透過領域Ｄ（開口径）は、明所視での被検者眼Ｅの瞳孔径に相当するサイズＤ１（例えば、直径３ｍｍ）の径と、暗所視での被検者眼Ｅの瞳孔径に相当する大きさ以上のサイズＤ２（例えば、直径１０ｍｍ）に変えられる。なお、サイズＤ１及びサイズＤ２は被検者眼の瞳孔上でのサイズであり、実際の絞り３６の開口径のサイズは対物レンズ３９等による光学系の倍率によって決定される。開口径可変絞り３６は、液晶ディスプレイに限られず、サイズＤ１とサイズＤ２の２種類の開口径を持つ絞りを光路上に切換え配置される構成であっても良い。また、連続的に開口径が変えられる絞りで構成されても良い。なお、絞り３６の開口径のサイズＤ２への変更は、絞り３６が光路から外される場合も含まれる。
【００２０】
制御部７０は、二次元撮像素子２２に接続され、二次元撮像素子２２の出力に基づいて屈折力の演算処理を行う。また、制御部７０は、撮像素子５２、移動機構２３、駆動機構３８、モータ３７、光源３１、回転機構３５ａ，３５ｂ、表示モニタ７、複数のスイッチを持ち測定の各種設定に用いられるスイッチ部８０、測定開始スイッチ５ｂ、メモリ７５、ＸＹＺ駆動部６、プリンタ９０等に接続されている。ここで、図４は、他覚測定モードでのモニタ７の表示と、スイッチ部８０のスイッチ構成を説明する図である。スイッチ部８０は、モニタ７の画面を挟んで左側に配置されたスイッチ８０ａ，８０ｂ，８０ｃ，８０ｄ、８０ｅと、右側に配置されたスイッチ８０ｆ，８０ｇ，８０ｈ、８０ｉ、８０ｊを持つ。各スイッチ８０ａ〜８０ｊは、各測定モードで画面に各スイッチの横に表示されるアイコンに応じて、そのスイッチ信号の機能が切換えられる。
【００２１】
次に、以上のような構成を備える装置の測定動作について説明する。装置の起動時は他覚測定モードに設定される。他覚測定モードにおける開口径可変絞り３６のサイズは、暗所視のサイズＤ２（１０ｍｍ）又は開放とされる。また、視標呈示光学系３０の視標３２ａは、被検者眼Ｅに雲霧を行うための他覚測定用の固視標が光路にセットされる。検者は被検者の顔を顔支持ユニット２に固定させ、被検者眼には測定部４の測定窓４ａ（図１参照）を介して測定部４内に配置された固視標を固視させる。なお、被検者の両眼の眼前には、測定部４の筐体が位置するため（測定部４の筐体の被検者側は、被検者の両眼を遮蔽する大きさを持つ）、被検者眼の瞳孔が自然に広がった自然散瞳状態（これは暗所視状態に相当する）とされる。
【００２２】
他覚屈折力測定に際して、被検者眼Ｅの前眼部は、観察光学系５０の撮像素子５２により撮像され、モニタ７に前眼部像が映し出される。検者は、モニタ上の前眼部像と図示を略すアライメント視標像、レチクルとを観察し、測定部４及び移動台３をジョイスティック５等の操作により移動して、被検者眼と装置の光学系とを所定の位置関係にアライメントする。アライメント完了後、測定開始スイッチ５ｂから測定開始信号が入力されると、屈折力測定が行われる。
【００２３】
光源１１から出射された測定光は、リレーレンズ１２からダイクロイックミラー２９までを介して眼底Ｅｆに投影され、眼底Ｅｆ上で回転するスポット状の点光源像を形成する。眼底Ｅｆ上に形成された点光源像の光は、反射・散乱されて被検者眼Ｅを射出し、対物レンズ１４によって集光され、ホールミラー１３から全反射ミラー１７までを介して受光絞り１８の開口上で再び集光され、コリメータレンズ１９にて略平行光束（正視眼の場合）とされ、リングレンズ２０によってリング状光束として取り出され、リング像として撮像素子２２に受光される。
【００２４】
はじめに眼屈折力の予備測定が行われる。この予備測定の結果に基づいて光源３１及び視標板３２が光軸Ｌ２方向に移動され、固視標が一旦被検者眼の眼底と略共役な位置に置かれた後、適当なディオプタ分だけ雲霧が掛かるように、さらに光源３１及び視標板３２が光軸Ｌ２方向に移動される。そして、被検者眼に雲霧が掛けられた状態で、撮像素子２２に受光されたリング像が検出処理されることにより、被検者眼の屈折力（球面度数Ｓ、乱視度数Ｃ、乱視軸角度Ａ）が制御部７０により演算される。
【００２５】
他覚屈折力測定後、明所視／暗所視の見え方を確認するモードを選択できる。図４の他覚測定モードの画面において、アイコン「Ｐ／Ｓ」表示の横に位置するスイッチ８０ｃが押されると、図５に示されるように、モニタ７の画面が明所視／暗所視確認モードに切換えられる。図５の明所視／暗所視確認モードでは、アイコン１２２に対応したスイッチ８０ａにより、明所視モードと暗所視モードの選択信号の入力が可能にされる。明所視／暗所視確認モードに切換えられると、他覚屈折力測定の測定結果に基づいて矯正光学系が駆動され、被検者眼の屈折誤差が矯正される。すなわち、他覚測定で得られた球面度数Ｓに基づいて光源３１及び視標板３２が光軸Ｌ２方向に移動され、球面屈折力の屈折誤差が補正された状態とされると共に、他覚測定で得られた乱視度数Ｃ及び乱視軸角度Ａに基づいて乱視矯正光学系３４が駆動され、乱視の屈折誤差が補正された完全矯正状態とされる。なお、明所視／暗所視の見え方の比較においては、乱視の屈折誤差の矯正は必ずしも無くてもよく、少なくとも球面の屈折誤差が矯正される構成であれば良い。
【００２６】
また、視標呈示光学系の視標３２ａは、他覚測定で使用された固視標の他、アイコン１２３ａ、１２３ｂに対応するスイッチ８０ｂ、８０ｃによって自覚検査で使用される視力値視標を選択できる。この明所視／暗所視確認モードでの視標の輝度は、他覚測定時と同じく、被検者眼を縮瞳させない光量とされる。
【００２７】
明所視／暗所視確認モードに切換えられると、初めは明所視モードに設定される。明所視モードに設定されると、視標呈示光学系３０の光路に配置された開口径可変絞り３６のサイズは、明所視での被検者眼Ｅの瞳孔径に相当するサイズＤ１（直径３ｍｍ）に変更される。被検者眼と略共役な位置に配置された絞り３６の径がサイズＤ１とされたことにより、被検者は実際に眼を縮瞳させることなく、明所視の瞳孔径（縮瞳状態）における視標３２ａの見え方を体感できる。
【００２８】
次に、図５の画面でスイッチ８０ａが押されると暗所視モードに切換えられ、開口径可変絞り３６のサイズは、暗所視での被検者眼Ｅの瞳孔径の大きさ以上に相当するサイズＤ２（直径１０ｍｍ）に変更される。測定時においては被検者眼の瞳孔は自然散瞳状態とされており、絞り３６が自然散瞳状態の径より大きくされることにより、被検者眼は暗所視状態で視標３２ａを見ていることとなる。そして、スイッチ８０ａが押される毎に、開口径可変絞り３６のサイズが切換えられ、明所視状態と暗所視状態が即座に切換えられるので、被検者は両者の見え方の違いを容易に体感できる。
【００２９】
このような明所視／暗所視の見え方の比較において、視標呈示光学系３０で呈示される視標３２ａは簡易的には他覚屈折力測定と同じ固視標でも良いが、自覚測定用の視標を使用すると、より正確な見え方の違いを体感させることができる。
【００３０】
自覚測定用の視標を使用して自覚測定を行う場合を説明する。初めに明所視モードでの測定を説明する。スイッチ８０ｂ、８０ｃによって、例えば、初めに視力値０．８の視標を呈示させる（図６参照）。検者は、被検者にこの視力値視標が判別できるかを確認し、その応答結果に基づいてスイッチ８０ｂ，８０ｃを押して視力値を切換える。スイッチ８０ｂが押されると、制御部７０はモータ３２ａによって視標板３２を回転させて光軸Ｌ２上に１段階低い視力値の視標を配置する。スイッチ８０ｃが押されると、制御部７０はモータ３２ａによって視標板３２を回転させて光軸Ｌ２上に１段階高い視力値の視標を配置する。検者はこの自覚検査を繰り返し、被検者が判読できる限界の最高視力値を求める。視力値視標の表示部１２１には、現在呈示されている視力値視標とその視力値が表示される。
【００３１】
次に、検者は最高視力値が得られる状態で被検者眼に付与される球面度数Ｓが最も弱くなるように（プラスよりになるように）、球面度数Ｓを調整する。球面度数Ｓを調整するためのアイコン１２４ａ，１２４ｂに対応したスイッチ８０ｇ，８０ｈの信号により、光源３１及び視標板３２が光軸Ｌ２方向に移動され、被検者眼の球面度数Ｓが調整される。なお、被検者眼の自覚測定による矯正度数は画面右下の表示欄１２０に表示され、他覚測定値は画面左下の表示欄１０４に表示されている。
【００３２】
このような自覚測定において、明所視モードでの自覚測定の検査結果（最後に呈示された視標の視力値及び表示欄１２０に表示された矯正度数）は、スイッチ８０ａにより測定モードが切換えられたとき、他覚測定モードに切換えるためのアイコン１２５に対応したスイッチ８０ｆが押されたとき等、明所視モードを終了する信号に基づいてメモリ７５に記憶される。
【００３３】
次に、検者はスイッチ８０ａにより暗所視モードに切換える。暗所視モードに切換えられると、視標呈示光学系３０の視標３２ａ及び矯正光学系の矯正度数は、明所視モードでの測定時のまま、視標呈示光学系３０の光路に配置された開口径可変絞り３６のサイズが切換えられる。暗所視モードでの開口径可変絞り３６のサイズは、暗所視での被検者眼Ｅの瞳孔径の大きさ以上に相当するサイズＤ２（直径１０ｍｍ）に変更される。絞り３６の大きさが被検者眼の自然散瞳状態の径より大きくされることにより、被検者眼は暗所視状態で視標３２ａを視認することとなる。
【００３４】
以上のように検者は、明所視モードから暗所視モードに切換えて、被検者の視標の見え方が変わるかどうかについて確認する。ここで、従来のように、周囲の明るさを変化させ、実際に被検者眼の瞳孔径を暗所視状態と明所視状態とで変化させる場合は、周囲の明るさに応じて眼の瞳孔径が変化するまでの順応を待つ必要があり、即座の比較が難しく、被検者もその違いを確認しにくい。これに対して、開口径可変絞り３６の大きさがサイズＤ１からサイズＤ２へと切換えられることにより、明所視状態の視標呈示から暗所視状態への視標呈示に即座に切換えられ、被検者はその見え方の違いを比較して確認できる。すなわち、スイッチ８０ａを押すごとに、開口径可変絞り３６の開口径がサイズＤ１とサイズＤ２とに交互に切換えられ、被検者は暗所視状態と明所視状態との視標の見え方の違いを確認しやすくなる。
【００３５】
暗所視での見え方が明所視に比べて劣る場合、検者は暗所視での視力測定を前述と同様に行うことができる。スイッチ８０ｂ，８０ｃが押されると、視標呈示光学系３０の光路上に配置される視標３２ａが切換えられる。検者は被検者の応答を得て、被検者が判読できる限界の最高視力値を求める。また、スイッチ８０ｇ，８０ｈのスイッチ信号により矯正光学系の球面度数が切換えられる。検者は、最高視力値が得られる状態で被検者眼に付与される球面度数Ｓが最も弱くなるように、球面度数Ｓを調整する。これにより、球面度数が検査され、その検査結果は表示欄１２０に表示される。明所視での矯正度数に対して暗所視での矯正度数が変化していれば、被検者には明所視状態で処方した矯正具に対して、暗所視状態での矯正度数を変える必要性を認識させることができる。
【００３６】
また、明所視と暗所視との矯正度数の差が制御部７０に演算され、所定の度数（例えば、０．５Ｄ）以上の差がある場合、その旨がモニタ７の画面に表示される。これにより、検者は明所視用の矯正具とは別に暗所視用の矯正具の必要性を知ることがきる。図５における自覚測定終了用のスイッチ８０ｆが押されると、明所視及び暗所視のそれぞれの視力値及び矯正度数のデータがメモリ７５に記憶され、図示を略すプリントアウトスイッチが押されることによりそれらのデータがプリンタ９０から出力される。
【００３７】
上記の構成において、開口径可変絞り３６の開口径を変える場合、被検者眼の瞳孔を通して眼内に入射する視標光束の光量が略一定となるように、開口径のサイズＤの大きさに応じて視標光束の光量を変えることが好ましい。視標光束の光量は視標を照明する光源３１の発光輝度を調整することにより変えられる。光源３１の発光輝度が一定の場合、絞り３６の開口径が明所視用のサイズＤ１からそれより大きな暗所視用のサイズＤ２に切換えられると、絞り３６の開口を通過する視標光束の光量が増加するため、被検者眼には視標の輝度が増加した状態で明るく見えることになる。この場合には、暗所視と明所視での視標輝度の呈示条件が変わることになり、検査の正確性がやや劣ることなる。また、場合によっては、絞り３６の開口が大きくされると、被検者眼は眩しさを感じるかもしれない。これらの低減するために、制御部７０は絞り３６の開口径をサイズＤ１からサイズＤ２に切換えたときには、同時に、その開口面積の変化割合に応じて光源３１の発光輝度を調整する。すなわち、サイズＤ１を３ｍｍ、サイズＤ２を１０ｍｍとすると、暗所視のサイズＤ２に対する明所視のサイズＤ１の面積変化割合は０．０９倍となるため、制御部７０は絞り３６の開口径を切換えたときには、同時に光源３１の発光輝度を０．０９倍に調整する。これにより、絞り３６を通過する視標光束の光量が略一定に保たれる。
【００３８】
なお、暗所視状態での実際の被検者眼の瞳孔径は被検者に応じて異なる。このため、上記における暗所視での視標光束の光量調整は、実際の被検者眼の瞳孔サイズを得て行うことが好ましい。この場合の例を説明する。屈折力測定時の被検者眼の瞳孔を含む前眼部は観察光学系５０の撮像素子５２により撮像され、その画像データは制御部７０が持つメモリに記憶される、制御部７０は前眼部像を画像処理して瞳孔領域を抽出することにより、瞳孔サイズを得る。そして、暗所視モード時に絞り３６の開口径がサイズＤ２に切換えられたときには、明所視での絞り３６の開口面積と前眼部像から得られた瞳孔の面積との割合を演算し、その面積割合に応じて視標光束の光量（光源３１の輝度）を調整する。
【００３９】
また、上記の説明において、明所視モードでの絞り３６のサイズＤ１は、人眼の標準的なサイズ（３ｍｍ）としたが、被検者の実際の明所視での瞳孔サイズが分かっている場合は、そのサイズに合わせて絞り３６の開口を調整可能である。図５の明所視モードの画面において、の被検者眼の瞳孔径を入力するためのアイコン１２６ａ、１２６ｂを設けられている。アイコン１２６ａ、１２６ｂの隣には、スイッチ８０ｄとスイッチ８０ｅによって入力される瞳孔径サイズが表示される表示欄１２７が設けられている。スイッチ８０ｄが選択されると瞳孔径サイズが所定のステップで増加し、スイッチ８０ｄが選択されると被検者眼の瞳孔径サイズが所定のステップで減少する。入力された瞳孔径サイズは表示欄１２７で確認される。スイッチ８０ａによって明所視が選択されると、制御部７０はスイッチ８０ｄ及び８０ｅによって入力された瞳孔径サイズに基づいて、絞り３６の開口径を調節する。
【００４０】
さらに、明所視モードでの絞り３６の開口径の制御は、予め実際に被検者眼を明所視状態にした上で、制御部７０が前述と同様に観察光学系５０の撮像素子５２により撮像された前眼部像から瞳孔を抽出し、その瞳孔サイズに基づいて絞り３６の開口径を自動的に調整してもよい。
【００４１】
明所視／暗所視の見え方の確認後、本装置では視標の輝度を明るくした通常の自覚屈折力測定も可能である。通常の自覚屈折力測定は、図４の画面において、「ＶＡ」のアイコンに対応するスイッチ８０ａにより実施できる。自覚屈折力測定の動作は周知であるので省略する。
【００４２】
以上のような機能を有する眼屈折力測定装置によれば、被検者眼を実際に縮瞳または散瞳させることなく、擬似的に明所視と暗所視とを切換えることができるので、短時間に明所視と暗所視での見え方の違いを簡単に確認することができる。また、被検者には明所視状態での矯正度数に対して、暗所視状態での矯正度数を変える必要性を認識させることができる。
【図面の簡単な説明】
【００４３】
【図１】眼屈折力測定装置の外観構成図である。
【図２】眼屈折力測定装置の光学系及び制御系の概略構成図である。
【図３】開口径可変絞りの例である。
【図４】他覚測定モードでのモニタ表示とスイッチ部のスイッチ構成の説明図である。
【図５】明所視／暗所視確認モードについての説明図である。
【図６】被検者眼に呈示される視標の例である。
【符号の説明】
【００４４】
７  表示モニタ
１０  測定光学系
３０  視標呈示光学系
３１  光源
３６  開口径可変絞り
５０  観察光学系
７０  制御部
８０  スイッチ部
【図１】
0005248926.tif 000002
【図２】
0005248926.tif 000003
【図３】
0005248926.tif 000004
【図４】
0005248926.tif 000005
【図５】
0005248926.tif 000006
【図６】
0005248926.tif 000007